(57)【要約】【課題】燃料電池に供給される反応ガスを効率的に加湿可能な加湿装置を備える燃料電池システムを提供する。【解決手段】反応ガスが供給されることで発電する燃料電池スタック６０と、反応ガスを燃料電池に供給する反応ガス供給手段と、水分透過性を有する中空糸膜４２を有し、中空糸膜４２を介して、燃料電池スタック６０に供給される反応ガスと燃料電池スタック６０から排出されたオフガスとの間で水分交換し、反応ガスを加湿する加湿装置１Ａと、を備える燃料電池システム１００であって、加湿装置１Ａ内におけるオフガスの流速が上昇するように構成されている。【選択図】図３
2007324031.tif 000002
【特許請求の範囲】
【請求項１】
反応ガスが供給されることで発電する燃料電池と、
反応ガスを前記燃料電池に供給する反応ガス供給手段と、
水分透過性を有する中空糸膜を有し、当該中空糸膜を介して、前記燃料電池に供給される反応ガスと前記燃料電池から排出されたオフガスとの間で水分交換し、前記反応ガスを加湿する加湿装置と、
を備える燃料電池システムであって、
前記加湿装置内における反応ガス及びオフガスの少なくとも一方の流速が上昇するように構成されていることを特徴とする燃料電池システム。
【請求項２】
前記加湿装置は、
筒状のケースと、前記中空糸膜を複数束ねて構成されると共に前記ケースに収容された中空糸膜束とを備え、反応ガス及びオフガスの一方である第１ガスが前記中空糸膜の内部を流通し、反応ガス及びオフガスの他方である第２ガスが前記ケース内であって前記中空糸膜の外部を流通する構成であって、
前記第２ガスの流通方向において、
前記ケース内への第２ガスの流入口を有する第２ガス上流部と、
前記第２ガス上流部の下流に配置されると共に、当該第２ガス上流部における流路断面積よりも小さく、第２ガスの流速を上昇させる第２ガス流速上昇部と、
を有することを特徴とする請求項１に記載の燃料電池システム。
【請求項３】
前記加湿装置における前記第２ガス流速上昇部は、第２ガスの下流に向かうにつれて、第２ガスの流路断面積が減少する流路断面積減少区間を有することを特徴とする請求項２に記載の燃料電池システム。
【請求項４】
前記加湿装置における前記第２ガス流速上昇部は、前記流路断面積減少区間の下流に配置されると共に、当該流路断面積減少区間の下流端と同一又は下流端以下の第２ガス流路断面積が連続する連続区間を、さらに有することを特徴とする請求項３に記載の燃料電池システム。
【請求項５】
前記加湿装置は、
前記第２ガス流速上昇部の下流に配置されると共に、第２ガスの下流に向かうにつれて、第２ガスの流路断面積が増加する流路断面積増加部と、
前記流路断面積増加部の下流に配置されると共に、当該流路断面積増加部の下流端と同一又は下流端以上の第２ガス流路断面積を有し、前記ケース外への第２ガスの排出口を有する第２ガス下流部と、
を備えたことを特徴とする請求項２から請求項４のいずれか１項に記載の燃料電池システム。
【請求項６】
前記ケースの内周面が径方向内側に突出することで、前記第２ガス流速上昇部が構成されていることを特徴とする請求項２から請求項５のいずれか１項に記載の燃料電池システム。
【請求項７】
前記第１ガスは前記燃料電池に供給される反応ガスであり、前記第２ガスは前記燃料電池から排出されたオフガスであることを特徴とする請求項２から請求項６のいずれか１項に記載の燃料電池システム。
【発明の詳細な説明】
【技術分野】
【０００１】
本発明は、加湿装置を備える燃料電池システムに関する。
【背景技術】
【０００２】
固体高分子型燃料電池（Polymer Electrolyte Fuel Cell：ＰＥＦＣ）等の燃料電池が良好に発電するには、これに内蔵される固体高分子膜の湿潤性を確保する必要がある。また、燃料電池は発電すると、カソードで水が生成し、高湿度のオフガスが排出される。そこで、膜を介して、燃料電池に供給される空気（反応ガス）と、燃料電池から排出された高湿のオフガスとの間で水分交換させて、前記空気を加湿する加湿装置が提案されている。
【０００３】
このような加湿装置に内蔵される膜としては、その有効膜面積を大きくするため、中空糸膜が一般に使用される。そして、この中空糸膜は複数本にて束ねられ、この束ねられたもの（中空糸膜束）が加湿装置に装填される。さらに、このように加湿装置に装填された中空糸膜の利用効率を高めるため、例えば、その周壁に複数の孔を有するパイプ（インナーパイプ）を中空糸膜束の中心軸線上に挿入し、オフガスをインナーパイプの中空部から、前記複数の孔を介して、中空糸膜束（詳細には各中空糸膜の外）の全体に流出させる技術がある（特許文献１参照）。
【特許文献１】特開２００４−６０９９号公報（図３）
【発明の開示】
【発明が解決しようとする課題】
【０００４】
このような加湿装置については、更なる加湿効率の向上が望まれている。
そこで、本発明は、燃料電池に供給される反応ガスを効率的に加湿することが可能な加湿装置を備える燃料電池システムを提供することを課題とする。
【課題を解決するための手段】
【０００５】
前記課題を解決するための手段として、本発明は、反応ガスが供給されることで発電する燃料電池と、反応ガスを前記燃料電池に供給する反応ガス供給手段と、水分透過性を有する中空糸膜を有し、当該中空糸膜を介して、前記燃料電池に供給される反応ガスと前記燃料電池から排出されたオフガスとの間で水分交換し、前記反応ガスを加湿する加湿装置と、を備える燃料電池システムであって、前記加湿装置内における反応ガス及びオフガスの少なくとも一方の流速が上昇するように構成されていることを特徴とする燃料電池システムである。
【０００６】
このような燃料電池システムによれば、加湿装置内における反応ガス及びオフガスの少なくとも一方の流速が上昇するので、中空糸膜を介しての反応ガスとオフガスとの間における水分交換が効率的に行われる。なお、水分交換が効率的に行われる一理由としては、ガスの流速が上昇すると、中空糸膜の表面（外周面及び／又は内周面）における物質移動係数が大きくなることが考えられる。
【０００７】
そして、このように水分交換が効率的に行われるので、反応ガスを良好に加湿することができる。その結果として、燃料電池に内蔵される固体高分子膜の湿潤性は確保され、燃料電池は好適に発電することができる。
【０００８】
また、前記加湿装置は、筒状のケースと、前記中空糸膜を複数束ねて構成されると共に前記ケースに収容された中空糸膜束とを備え、反応ガス及びオフガスの一方である第１ガスが前記中空糸膜の内部を流通し、反応ガス及びオフガスの他方である第２ガスが前記ケース内であって前記中空糸膜の外部を流通する構成であって、前記第２ガスの流通方向において、前記ケース内への第２ガスの流入口を有する第２ガス上流部と、前記第２ガス上流部の下流に配置されると共に、当該第２ガス上流部における流路断面積よりも小さく、第２ガスの流速を上昇させる第２ガス流速上昇部と、を有することを特徴とする。
【０００９】
このような燃料電池システムによれば、加湿装置が、第２ガス上流部に対して、流路断面積の小さい第２ガス流速上昇部を有するので、この第２ガス流速上昇部において、第２ガスの流速が上昇する。そうすると、第２ガスと中空糸膜の周壁である膜相との界面（中空糸膜の外周面）において、第２ガスの物質移動係数が大きくなる。
【００１０】
これにより、第２ガスと膜相との間において、水分が移動しやすくなる。よって、例えば、第２ガスがオフガスであり、第１ガスが反応ガスである場合、オフガス（第２ガス）中の水分が膜相に速やかに移動し、そして、膜相の水分が反応ガス（第１ガス）に移動する。その結果として、反応ガス（第１ガス）が良好に加湿され、加湿装置の加湿効率が高くなる。
これと逆に、第２ガスが反応ガスであり、第１ガスがオフガスである場合、反応ガス（第２ガス）と膜相との界面における物質移動係数が大きくなるので、膜相の水分が反応ガスに移動しやすくなると考えられる。
なお、第２ガスの流速を上昇させて効率的に水分交換するために、第２ガス流速上昇部は、第２ガスの流通方向において、ある程度の長さを有するように設定することが好ましい。
【００１１】
また、第２ガスの流入口を有する第２ガス上流部における第２ガスの流路断面積は、第２ガス流速上昇部よりも大きいので、前記流入口から第２ガス上流部内に流入した第２ガスは、径方向に良好に拡散する。これにより、第２ガスが中空糸膜の外を一様に下流に向かって流れやすくなる。したがって、第２ガスと第１ガスとの間で、良好に水分交換することができる。
【００１２】
また、前記加湿装置における前記第２ガス流速上昇部は、第２ガスの下流に向かうにつれて、第２ガスの流路断面積が減少する流路断面積減少区間を有することを特徴とする。
【００１３】
このような燃料電池システムによれば、加湿装置における第２ガス流速上昇部の流路断面積減少区間において、第２ガスの流速を上昇させることができる。
また、第２ガスが、第２ガス上流部から流路断面積減少区間を介することで、下流に位置する連続区間に、よどみ等を発生させずスムーズに流れ込むことができる。さらに、後記する実施形態のように、第２ガス流速上昇部（後記する連続区間）において中空糸膜束の周面（外周面、内周面）が径方向において、内側及び／又は外側に押圧されている場合、流路断面積が徐々に変化する流路断面積減少区間を備えたことにより、中空糸膜束が受ける応力が徐々に変化するため、例えば、中空糸膜が折れにくくなる。
【００１４】
また、前記加湿装置における前記第２ガス流速上昇部は、前記流路断面積減少区間の下流に配置されると共に、当該流路断面積減少区間の下流端と同一又は下流端以下の第２ガス流路断面積が連続する連続区間を、さらに有することを特徴とする。
ここで、連続するとは、連続区間の直上流位置の流路断面積減少区間と、連続区間の直下流位置の例えば後記する流路断面積増加部とが、第２ガスの流通方向において、ある程度、離れていることと同義である。
【００１５】
このような燃料電池システムによれば、流路断面積減少区間の下流端と同一又は下流端以下の流路断面積が連続する連続区間を流れるので、この連続区間の全体に亘って、第２ガスの流速が上昇することになる。そうすると、連続区間の全範囲において、第２ガスと中空糸膜の周壁である膜相との界面において、第２ガスの物質移動係数が大きくなり、第２ガスと膜相との間において、水分を良好に移動させることができる。
【００１６】
また、前記加湿装置は、前記第２ガス流速上昇部の下流に配置されると共に、第２ガスの下流に向かうにつれて、第２ガスの流路断面積が増加する流路断面積増加部と、前記流路断面積増加部の下流に配置されると共に、当該流路断面積増加部の下流端と同一又は下流端以上の第２ガス流路断面積を有し、前記ケース外への第２ガスの排出口を有する第２ガス下流部と、を備えたことを特徴とする。
【００１７】
このような燃料電池システムによれば、流路断面積増加部を有していることにより、第２ガスが、第２ガス流速上昇部から当該流路断面積増加部を介して第２ガス下流部に、スムーズに流れ込むことができる。
これに加えて、第２ガス下流部における第２ガスの流路断面積は、流路断面積増加部の下流端における第２ガスの流路断面積と同一又はこれ以上であるので、第２ガス下流部において、第２ガスが受ける圧力損失が上がることなく、第２ガスは良好に拡散することができる。これにより、拡散した第２ガスが、通常、第２ガス下流部において複数にて設けられる第２ガスの排出口に分散し、加湿装置の外部にスムーズに流出することができる。
【００１８】
また、前記ケースの内周面が径方向内側に突出することで、前記第２ガス流速上昇部が構成されていることを特徴とする。
【００１９】
このような燃料電池システムによれば、ケースの内周面を径方向内側に突出させることで、第２ガス流速上昇部を有する加湿装置を容易に構成することができる。
【００２０】
また、前記第１ガスは前記燃料電池に供給される反応ガス（被加湿ガス）であり、前記第２ガスは前記燃料電池から排出されたオフガス（湿潤ガス）であることを特徴とする。
【００２１】
このような燃料電池システムによれば、加湿装置において、水分量が多い高いオフガス（第２ガス）の流速を選択的に上昇させ、反応ガスを効率的に加湿することができる。これは、中空糸膜の外周面近傍におけるオフガスの流速が上昇することにより、外周面近傍におけるオフガス中の水分の濃度が高められ、その結果として、オフガス中の水分の中空糸膜相への拡散（移動）が促進するためと考えられる。
【００２２】
また、水分透過性を有する含水量の高い中空糸膜を介して、水分量の異なるガスの間で水分交換させる場合、中空糸膜内の径方向における水分の分布は、流通するガスに近い、その外周面近傍及び内周面近傍では、低くなると考えられている。そこで、このように中空糸膜外を通るオフガスの流速を上昇させることにより、前記したように、外周面近傍におけるオフガス中の水分の濃度が高められ、水分が、中空糸膜内に取り込まれやすくなり、その結果として、中空糸膜相内の水分が増加し、次いで、この水分が、中空糸膜相から反応ガスに順次に移動すると考えられる。
【発明の効果】
【００２３】
本発明によれば、燃料電池に供給される反応ガスを効率的に加湿することが可能な加湿装置を備える燃料電池システムを提供することができる。
【発明を実施するための最良の形態】
【００２４】
次に、本発明の一実施形態について、図１から図４を参照して説明する。
【００２５】
≪燃料電池システムの構成≫
図１に示す燃料電池システム１００は、図示しない燃料電池自動車に搭載されている。燃料電池システム１００は、燃料電池スタック６０と、これに酸素を含む空気（酸化剤ガス、第１ガス、反応ガス）を供給するコンプレッサ７１（反応ガス供給手段）と、燃料電池スタック６０に供給される空気を加湿するための加湿装置１Ａと、燃料電池スタック６０に水素（燃料ガス）を供給する水素タンク８１（水素供給機器）と、を主に備えている。
【００２６】
燃料電池スタック６０は、固体高分子型燃料電池（Polymer Electrolyte Fuel Cell：ＰＥＦＣ）であり、ＭＥＡ（Membrane Electrode Assembly、膜電極接合体）をセパレータ（図示しない）で挟持してなる単セルが複数積層されて構成されている。ＭＥＡは、固体高分子膜６１と、これを挟持するカソード６２及びアノード６３とを備えている。
そして、カソード６２には加湿空気が供給されるようになっている。因みに、加湿空気はコンプレッサ７１からの空気が、加湿装置１Ａによって加湿されたものである。アノード６３には、水素タンク８１から水素が供給されるようになっている。
【００２７】
そして、このように水素及び加湿空気が供給されると、カソード６２及びアノード６３に含まれる触媒上で電気化学反応が起こり、燃料電池スタック６０が発電可能となる。燃料電池スタック６０の出力端子（図示しない）には、燃料電池自動車の走行用の電動モータ（図示しない）が接続されており、この電動モータは燃料電池スタック６０の発電電力によって駆動するようになっている。
【００２８】
燃料電池スタック６０のカソード６２の下流側は、配管を介して加湿装置１Ａに接続されており、発電に係る電気化学反応によってカソード６２で生成した水分（水蒸気）を含む空気（これをオフガスいう）が加湿装置１Ａに供給されるようになっている。そして、加湿装置１Ａにおける水分交換によって、オフガスの水分量（含水量）が減少し、この水分量が減少したオフガスは、背圧弁７２を介して、外気中に排出されるようになっている。
【００２９】
一方、燃料電池スタック６０のアノード６３の下流側は、パージ弁８２を介して外気に開放されており、アノード６３から排出される未反応の水素を含むアノードオフガスが、外気中に排出されるようになっている。なお、アノード６３とパージ弁８２との間の配管は、循環配管８３によって、アノード６３と水素タンク８１との間の配管に接続されており、アノードオフガス中の不純物の濃度が低い場合、言い換えると、アノードオフガス中の水素濃度が高い場合、パージ弁８２が閉じられることにより、アノードオフガスが水素供給側に戻されるようになっている。
【００３０】
≪加湿装置の構成≫
次に、加湿装置１Ａの具体的構成について説明する。
図２に示すように、加湿装置１Ａは、外形が略円柱体であって、その軸方向が燃料電池自動車の前後（走行）方向に沿うように配置されている。そして、コンプレッサ７１からの空気（第１ガス）は、加湿装置１Ａの前側からその内部に供給され、後記する中空糸膜４２の内部を通り、加湿空気となって、その後側から排出されるようになっている。一方、カソード６２からの水分量の多い高湿のオフガス（第２ガス）は、加湿装置１Ａの後側からその内部に供給され、ケース１０内であって中空糸膜４２の外部を通り、水分交換によって水分量が減少した後、ケース１０の前側の周面から排出されるようになっている。すなわち、加湿装置１Ａ内において、空気の流れの向きと、オフガスの流れの向きとは、対向している。また、加湿装置１Ａの軸方向と、加湿装置１Ａ内における空気及びオフガスの流通方向とは、平行である。
【００３１】
図３に示すように、加湿装置１Ａは、円筒状のケース１０と、ケース１０の中心軸線上に配置された芯部材３１（インナーパイプ）と、ケース１０に内包（収容）されると共にケース１０と芯部材３１との間に装填された中空糸膜束４１と、を主に備えている。すなわち、芯部材３１は、断面視が環状の中空糸膜束４１の内側であって、ケース１０及び中空糸膜束４１の中心軸線上に配置されている。つまり、中空糸膜束４１は、芯部材３１の周面を囲んでいる。
なお、図３は模式図であり、わかりやすくするために、中空糸膜４２の本数を減らすと共に、その外周面に模様を付し、その直径及び間隔を大きく記載したものである。
【００３２】
そして、加湿装置１Ａは、前方に向かうオフガスの流れの向きを基準とすると、上流側（後側）から下流側（前側）に向かって、後記するオフガス流入口３１ｂを有する上流部Ａ（第２ガス上流部）と、上流部Ａにおけるオフガスの流路断面積Ｓ１よりも小さく、オフガスの流速を上昇させる流速上昇部Ｂ（第２ガス流速上昇部）と、オフガスの流路断面積が徐々に増加する流路断面積増加部Ｃと、後記するオフガス排出口１５ｂを有する下流部Ｄ（第２ガス下流部）と、を有している。また、流速上昇部Ｂは、オフガスの下流側に向かって、オフガスの流路断面積が徐々に減少する流路断面積減少区間Ｂ１と、当該流路断面積減少区間Ｂ１の下流端におけるオフガスの流路断面積と同一の流路断面積Ｓ２が連続する連続区間Ｂ２と、を有している。ただし、連続区間Ｂ２における流路断面積Ｓ２は、前記流路断面積減少区間Ｂ１の下流端におけるオフガスの流路断面積以下であればよい。
因みに、下流部Ｄにおける流路断面積Ｓ３は、流路断面積増加部Ｃの下流端におけるオフガスの流路断面積と、同一となっているが、流路断面積増加部Ｃの下流端におけるオフガスの流路断面積以上であればよい。
【００３３】
＜ケース等＞
ケース１０は、ＰＣ（ポリカーボネート）やＰＰＯ（ポリフェニレンオキサイド）等の硬質樹脂から形成された略円筒体であって、その中間部分が絞られている（窄んでいる）。ただし、ケース１０は、筒状であればよく、例えば、角筒体であってもよい。
そして、ケース１０は、オフガスの向きを基準として、その上流側（後側）から下流側（前側）に向かって、円筒状の上流部１１と、縮径テーパ部１２と、円筒状の中流部１３と、拡径テーパ部１４と、円筒状の下流部１５とを有している。因みに、上流部１１は前記した上流部Ａに、縮径テーパ部１２は流速上昇部Ｂの流路断面積減少区間Ｂ１に、中流部１３は流速上昇部Ｂの連続区間Ｂ２に、拡径テーパ部１４は流路断面積増加部Ｃに、下流部１５が前記した下流部Ｄに、それぞれ対応する位置に配置されている。
【００３４】
［上流部、中流部、下流部］
上流部１１及び下流部１５の内径は略同一であり、中流部１３の内径はこれよりも小さく設定されている。すなわち、中流部１３の内周面１３ａは、上流部１１の内周面１１ａ、及び、下流部１５の内周面１５ａに対して、径方向内側に突出しており、中流部１３は中空糸膜束４１の外周面を径方向内側に押圧している。
【００３５】
これにより、中流部１３内のオフガスの流路断面積Ｓ２は、上流部１１内の流路断面積Ｓ１及び下流部１５内の流路断面積Ｓ３よりも小さくなっている。すなわち、加湿装置１Ａの輪切り断面方向において、中流部１３における中空糸膜４２の充填率は、上流部１１及び下流部１５における充填率よりも大きくなっている。なお、中空糸膜４２の充填率とは、中空糸膜４２を中実と仮定した場合における中空糸膜束４１の総断面積を、ケース１０と芯部材３１との間に形成されるリング状の空間の断面積で除したものである。
【００３６】
このように中流部１３（流速上昇部Ｂの連続区間Ｂ２）における流路断面積Ｓ２は小さいので、中流部１３内のオフガスの流速Ｖ２が、上流部１１内の流速Ｖ１及び下流部１５内の流速Ｖ３よりも大きくなるように設計されている。すなわち、オフガスが、上流部１１から中流部１３に流れ込むと、その流速が上昇するように構成されている。つまり、加湿装置１Ａの一部分である中流部１３において、オフガスの流速が上昇するように構成されている。
その結果として、オフガスで形成されるオフガス相と、中空糸膜４２の周壁で形成される中空糸膜４２相との間において、後記する物質移動係数が大きくなり、オフガスから中空糸膜４２への水分（物質）の移動量が大きくなるように設計されている。
【００３７】
また、軸方向において、中流部１３の両側に位置する縮径テーパ部１２と拡径テーパ部１４とは、離れて配置されている。すなわち、中流部１３（流速上昇部Ｂの連続区間Ｂ２）は、軸方向において、ある程度の長さで連続している。
これにより、ある程度の長さで連続する流路断面積Ｓ２（＜Ｓ１、Ｓ３）の区間を、オフガスが流れることになる。したがって、一般に、流路界面（ここでは中空糸膜４２の外周面）で乱流が発生しにくい気体であるオフガスが、後記するように、中空糸膜４２の外周面近傍において、乱流となりやすく、その結果として、物質移動係数が大きくなり、加湿効率の向上が図られている。
【００３８】
（物質の移動量、物質移動係数）
ここで、隣り合う相（ここではオフガス相と中空糸膜４２相）の間における物質（ここでは水分）の移動量と、物質移動係数とについて、図４を参照して説明する。
まず、隣り合う相間における物質の移動量は、式（１）や式（２）で与えられる。よって、物質移動係数や、濃度差、分圧差が大きくなれば、隣り合う相間における物質の移動量が大きくなる。
物質の移動量＝物質移動係数×その物質の濃度差  …（１）
物質の移動量＝物質移動係数×その物質の分圧差  …（２）
【００３９】
物質移動係数は、隣り合う相間における物質の移動のしやすさを示す係数であり、この二相間を物質が移動する際に、物質が受ける移動抵抗の逆数とも考えられる係数である。そして、隣り合う相の少なくとも一方が流体によって構成されており、この流体が他方の相に対して流れる場合、物質移動係数は、式（３）で与えられる。
物質移動係数＝（Ａ）「流れがない場合における物質の移動のしやすさを示す係数」＋（Ｂ）「流れによる物質の移動のしやすさを示す係数」  …（３）
よって、本実施形態において、オフガス相と中空糸膜４２相との間における水分の物質移動係数は、（Ａ）「オフガスが流れていない場合の係数」と、（Ｂ）「流れるオフガスに起因する係数」との和によって与えられる。因みに、（Ｂ）「流れに起因する物質の移動のしやすさを示す係数」は、オフガスの流速が上昇すれば、大きくなる関係となっている。
【００４０】
ここで、物質の移動量と物質移動係数とについて、オフガスの流速が上昇した場合であって、中空糸膜４２の外周面（表面）で、（１）オフガスの乱流が発生しない場合と、（２）発生した場合とに分けて説明する。
【００４１】
（１）乱流が発生しない場合
この場合、オフガスの流速が上昇したことにより、式（３）における（Ｂ）「流れに起因する物質の移動のしやすさを示す係数」が大きくなり、物質移動係数が大きくなる。したがって、式（１）、式（２）により、オフガス相から中空糸膜４２相への水分（物質）の移動量が増加する。次いで、中空糸膜４２相の水分が、順次に、中空糸膜４２の内側の空気に移動するので、空気の加湿効率が高くなると考えられる。
【００４２】
（２）乱流が発生した場合
オフガスの流速が上昇したことに伴って、図４（ａ）に示すように、中空糸膜４２の外表面近傍において乱流が発生した場合、この乱流が前記外表面近傍のオフガスを攪拌すると考えられる。これにより、オフガス中の水分の濃度が中空糸膜４２の外周面からの距離に関わらず均一となると考えられる。そうすると、中空糸膜４２の外周面近傍の水分濃度、水分の分圧が高くなると考えられる。すなわち、前記した式（１）、式（２）における、「物質の濃度差」、「物質の分圧差」が大きくなる。このようにして、中空糸膜４２相への水分の移動量が増加するので、空気の加湿効率が高くなると考えられる。
【００４３】
因みに、オフガスの流速が上昇しない場合、物質移動係数が大きくならず、また、乱流も発生しないため、攪拌されない。よって、中空糸膜４２近傍のオフガス中の水分が移動した後、中空糸膜４２近傍のオフガス中の水分濃度は低くなったままとなる。すなわち、オフガス相と中空糸膜４２相との間における水分の濃度差及び分圧差が小さい状態が続く。これにより、オフガス中の水分が、中空糸膜４２相に移動しにくくなり、その結果として、空気が効率的に加湿されにくくなると考えられる（図４（ｂ）参照）。
【００４４】
図３に戻って説明を続ける。
このように中流部１３（流速上昇部Ｂの連続区間Ｂ２）を経由することにより、流速が上昇したオフガスは、前側のポッティング部５１の近傍まで流れやすくなる。これにより、前側（下流部Ｄ）の中空糸膜４２を介しても水分交換しやすくなり、中空糸膜４２の有効利用が図られる。
【００４５】
上流部１１内には、燃料電池スタック６０から排出された多湿のオフガスが、芯部材３１のオフガス流入口３１ｂを介して導入される。
また、上流部１１の内径は、中流部１３の内径よりも大きく、そして、その内周面１１ａは中空糸膜束４１を押圧していない。これにより、上流部１１内における中空糸膜４２間の隙間は広く、上流部１１内に導入されたオフガスが加湿装置１Ａの輪切り断面方向（径方向）に良好に拡散するように構成されている。よって、オフガスが、中空糸膜４２間をむらなく一様に、前側に向かって流れるようになっている。
【００４６】
下流部１５内には、中流部１３内を経由したことにより、水分量が減少したオフガスが流れ込む。そして、下流部１５には、この流れ込んだオフガスを外部に排出するためのオフガス排出口１５ｂが複数形成されている。複数のオフガス排出口１５ｂは、周方向に複数配置されると共に、軸方向においても複数段（本実施形態では４段）で配置されている。
また、下流部１５の内径は、中流部１３の内径よりも大きく、そして、その内周面１５ａは中空糸膜束４１を押圧していない。これにより、下流部１５内における中空糸膜４２間の隙間は広く、下流部１５内に流れ込んだオフガスが受ける圧力損失は小さくなる。これにより、オフガスが、輪切り断面方向において、速やかに分散し、複数のオフガス排出口１５ｂを介して、外部に排出されるようになっている。
【００４７】
ここで、中流部１３の流路断面積Ｓ２を、上流部１１及び下流部１５の流路断面積Ｓ１、Ｓ３よりも小さくした構成において、オフガスが受ける圧力損失を、軸方向と径方向とに分解して説明する。
中流部１３の流路断面積Ｓ２を小さくしたことにより、オフガスが中流部１３において受ける軸方向の圧力損失は大きくなるが、上流部１１及び下流部１５では、流路断面積Ｓ１、Ｓ３が大きいため、オフガスが受ける径方向の圧力損失が下がる。よって、ケース１０の形状を設計する際に、中流部１３における圧力損失の増加と、上流部１１及び下流部１５における圧力損失の低下とをバランスさせれば、加湿装置１Ａ全体においてオフガスが受ける圧力損失を変更せずに、中流部１３における流速を上昇させ、加湿効率を高めることができる。
【００４８】
［縮径テーパ部］
縮径テーパ部１２は、流速上昇部Ｂの流路断面積減少区間Ｂ１に相当する位置に配置された部分であって、上流部１１（上流部Ａ）と中流部１３（流速上昇部Ｂの連続区間Ｂ２）との間に配置されている。そして、縮径テーパ部１２の内周面１２ａは、後側（オフガスの上流側）から前側（オフガスの上流側）に向かって、徐々に縮径、つまり、内周面１２ａと芯部材３１の外周面との距離は徐々に小さくなっている。これにより、オフガスが、上流部１１から縮径テーパ部１２を介して中流部１３に、よどみ等を発生させず、スムーズに流れ込むようになっていると共に、オフガスの流速が上昇するようになっている。したがって、縮径テーパ部１２においても、中流部１３と同様に、オフガス相から中空糸膜４２相への水分の移動量が大きくなり、これにより、空気が良好に加湿されるようになっている。
また、このように縮径テーパ部１２を設けたことにより、中流部１３による押圧によって中空糸膜束４１が径方向内側に押されても、中空糸膜束４１を構成する中空糸膜４２が折れにくくなっている。よって、縮径テーパ部１２と中流部１３との境界は、面取りされていることが好ましく、側断面視においてＲ状、つまり、滑らかな曲面であることが望ましい。
【００４９】
［拡径テーパ部］
拡径テーパ部１４は、中流部１３と下流部１５との間に配置されている。そして、拡径テーパ部１４の内周面１４ａは、後側（オフガスの上流側）から前側（オフガスの上流側）に向かって、徐々に拡径、つまり、内周面１４ａと芯部材３１の外周面との距離は徐々に大きくなっている。これにより、オフガスが、中流部１３から拡径テーパ部１４を介して下流部１５に、よどみ等を発生させず、スムーズに流れ込むようになっている。
また、このように拡径テーパ部１４を設けたことにより、中流部１３によって中空糸膜束４１が径方向内側に押されても、中空糸膜４２が折れにくくなっている。よって、中流部１３と拡径テーパ部１４との境界は、面取りされていることが好ましく、側断面視においてＲ状、つまり、滑らかな曲面であることが望ましい。
【００５０】
［フロントキャップ］
フロントキャップ２１は、ケース１０の前側開口に蓋をするように、ケース１０に取り付けられている。そして、フロントキャップ２１内にコンプレッサ７１から空気が導入され、次いで、この空気が各中空糸膜４２内に導入されるようになっている。
【００５１】
［フロントマニホールド］
フロントマニホールド２２は、複数のオフガス排出口１５ｂから外部に排出したオフガスを集合させるためのカバーである。フロントマニホールド２２は、その内部にリング状の中空部を有しており、周方向かつ多段で形成されたオフガス排出口１５ｂを覆うようにケース１０に取り付けられている。そして、水分交換後のオフガスが、オフガス排出口１５ｂから、前記リング状の中空部を介して、外部に排出されるようになっている。
【００５２】
［リアキャップ］
リアキャップ２３は、ケース１０の後側開口に蓋をするように、ケース１０に取り付けられている。そして、中空糸膜４２から流出した加湿空気が、リアキャップ２３内を介して、外部に流出するようになっている。
【００５３】
［芯部材］
芯部材３１は、細長の円柱体であって、その後側にオフガスが導入される中空部３１ａを有している。そして、芯部材３１は、ケース１０内に、軸が一致するように配置されている。また、中空部３１ａを取り囲む周壁には、中空部３１ａに導入されたオフガスが、芯部材３１を囲む中空糸膜束４１（詳しくは、中空糸膜４２同士の間）に流出するように、複数のオフガス流入口３１ｂ（第２ガス流入口）が形成されている。
【００５４】
＜中空糸膜束＞
中空糸膜束４１は、所定本数（例えば１０〜１００００本）の中空糸膜４２を束ねたものである。そして、中空糸膜束４１は、ケース１０の軸方向に沿って、ケース１０と芯部材３１との間に装填されると共に、前側及び後側のポッティング部５１、５１（封止部）を介して、ケース１０及び芯部材３１に固定されている。すなわち、加湿装置１Ａは、軸方向において、ポッティング部５１、５１の間に水分交換を行う水分交換部を有している。
【００５５】
［中空糸膜］
中空糸膜４２は、ポリイミド等から形成された、極細長の円筒体であって、その外径は３ｍｍ以下、好ましくは、０．２〜１．０ｍｍ以下である。中空糸膜４２は、その周壁に数ｎｍの複数の微細孔を有しており、これにより、中空糸膜４２は、水分（水蒸気）の透過性を有している。
なお、中空糸膜４２はこのように細いため、ケース１０の中流部１３の内周面１３ａによって中空糸膜束４１が径方向内側に押されても、中空糸膜４２が潰れることはない。
【００５６】
そして、このような水分透過性を有する中空糸膜４２の内部を、水分量の低い空気（第１ガス）が流通し、一方、その外部を、水分量が高いオフガス（第２ガス）が流通すると、オフガスの水分が中空糸膜４２の周壁に吸い出され、この水分が毛細管現象等により中空糸膜４２の周壁を透過し空気に供給され、その結果として、空気が加湿され、加湿空気が生成するようになっている。
【００５７】
また、中空糸膜４２の前側開口（第１ガス流入口）は、フロントキャップ２１内と連通しており、フロントキャップ２１内から中空糸膜４２内に、空気が流入するようになっている。一方、中空糸膜４２の後側開口（第１ガス流出口）は、リアキャップ２３内と連通しており、中空糸膜４２内からリアキャップ２３内に、加湿空気が流出するようになっている。
【００５８】
さらに、板状の平膜等でなく、このような中空糸膜４２を使用したことによって、単位体積当たりの有効膜面積は飛躍的に大きくなり、加湿効率が高められている。さらにまた、中空糸膜４２内を、コンプレッサ７１で圧縮された高圧の空気が流れる構成としたことにより、中空糸膜４２が潰れにくくなっている。
【００５９】
≪燃料電池システム、加湿装置の効果≫
このような加湿装置１Ａを備える燃料電池システム１００によれば、主として次の効果を得ることができる。
中流部１３（連続区間Ｂ２）及び縮径テーパ部１２（流路断面積減少区間Ｂ１）において、中空糸膜４２外を通るオフガスの流速を選択的に上昇させることにより、オフガスと中空糸膜４２との間において、水分の物質移動係数が大きくなる。加えて、中空糸膜４２の表面近傍で乱流が発生した場合、オフガス相と中空糸膜４２相との間において、水分の濃度差及び分圧差が大きくなる。これにより、オフガス相から中空糸膜４２相への水分の移動量が増加する。そして、中空糸膜４２相の水分が、その内部を流れる空気に移動し、この空気が好適に加湿され、加湿空気となる。その結果として、加湿装置１Ａによる空気の加湿効率が高くなり、よって、良好に加湿された空気（加湿空気）が、燃料電池スタック６０に供給される。ゆえに、固体高分子膜６１の湿潤性は確保されて、燃料電池スタック６０は好適に発電することができる。
【００６０】
すなわち、中空糸膜４２内を通る空気でなく、中空糸膜４２外を通る多湿のオフガスの流速を選択的に上昇させることにより、中空糸膜４２の外周面近傍におけるオフガス中の水分の濃度を選択的に高めることができる。これにより、水分が、オフガス相から中空糸膜４２相内に取り込まれやすくなり、その結果として、中空糸膜４２相内の水分が増加する。次いで、この水分が、中空糸膜４２相から空気に順次に移動するため、空気を良好に加湿することができる。
【００６１】
また、このような加湿装置１Ａを備えたことによって、コンプレッサ７１の回転速度を増加させず、つまり、加湿装置１Ａに供給される空気及びオフガスの流量を増加させなくても、加湿装置１Ａにおけるオフガス（第２ガス）の流速を部分的に上昇させて、空気の加湿効率を高めることができる。すなわち、燃料電池自動車に搭載されたバッテリ等を電源として作動するコンプレッサ７１の消費電力や、その作動による騒音を増加させずに、空気の加湿効率を高めることができる。
【００６２】
これに加えて、例えば、コンプレッサ７１と、燃料電池スタック６０の過昇温を防止するために冷媒を循環させる冷媒ポンプ（図示しない）とが、１つの駆動モータを共有し、このモータの駆動軸周りに一体に回転する構成である場合、空気の流速を上昇させるために前記駆動モータの回転数を増加させると、冷媒の流速も上昇するが、本発明によれば、前記したように、駆動モータの回転数を増加させる必要がないため、冷媒の流速が上昇することもない。
【００６３】
さらに、このような中空糸膜束４１を内蔵する加湿装置１Ａにおいて、加湿効率を高めるには、水分交換に寄与する膜の有効面積を増加させるために、ケース１０の大きさを変えずに中空糸膜４２の本数を増やす方法が考えられるが、単に、中空糸膜４２の本数を増やせば、加湿装置１Ａ全体において、中空糸膜４２の充填率が高くなる。よって、オフガスが加湿装置全体から受ける圧力損失が大きくなり、オフガスが流れにくくなってしまう。また、中空糸膜４２の充填率を変えずに、中空糸膜４２の本数を増加させることが考えられるが、このように本数を増やせば、ケース１０（加湿装置１Ａ）が大きくなってしまう。
【００６４】
ところが、加湿装置１Ａでは、水分交換を促進させる中流部１３及び縮径テーパ部１２のみを絞って、オフガスの流路断面積を部分的に小さくし、中空糸膜４２の充填率を高めているため、オフガスが加湿装置１Ａ全体から受ける圧力損失が極端に大きくなることはない。また、この中流部１３における圧力損失の増加を差し引くように、上流部１１及び下流部１５の内径を設定し、上流部１１及び下流部１５におけるオフガスの流路断面積を大きく、つまり、中空糸膜４２の充填率を下げ、上流部１１及び下流部１５においてオフガスが受ける圧力損失を下げれば、オフガスが加湿装置１Ａ全体から受ける圧力損失を変えないことができる。さらに、中空糸膜４２の収容本数が増えないので、ケース１０（加湿装置１Ａ）の体積が増加することもない。よって、積載スペースが限られている燃料電池自動車等に容易に搭載することができる。
【００６５】
以上、本発明の好適な一実施形態について説明したが、本発明は前記実施形態に限定されず、本発明の趣旨を逸脱しない範囲で、例えば以下のような変更をすることができる。
【００６６】
前記した実施形態では、中空糸膜４２内の空気（第１ガス）の向きと、中空糸膜４２外のオフガス（第２ガス）の向きとが、逆であり、対向している場合について説明したが、これに限定されず、同じ向きであってもよい。
また、前記した実施形態では、燃料電池スタック６０に供給される空気を加湿する構成を例示したが、水素（反応ガス）を加湿する構成であってもよい。
【００６７】
前記した実施形態では、空気が第１ガスとして中空糸膜４２内を流れ、オフガスが第２ガスとして中空糸膜４２外を流れる場合を例示したが、その他に、オフガスが第１ガスとして中空糸膜４２内を流れ、反応ガスが第２ガスとして中空糸膜４２外を流れる構成の加湿装置であってもよい。
【００６８】
例えば、図５に示すように、加湿装置１Ａから、流路断面積増加部Ｃを除いた加湿装置１Ｂであってもよい。加湿装置１Ｂは、ケース１０に代えてケース１６を備えている。ケース１６は、上流部１１と、縮径テーパ部１２と、中下流部１７とを備えている。中下流部１７の内径は上流部１１の内径よりも小さく、流速上昇部Ｂが構成されている。また、中下流部１７の内周面１７ａは中空糸膜束４１を径方向内側に押圧しており、さらに、中下流部１７の前側には複数のオフガス排出口１７ｂが形成されている。
【００６９】
また、図６に示すように、ケース１０に代えて、絞られていないケース１８と、芯部材３１に代えて、流路断面積減少区間Ｂ１、連続区間Ｂ２及び流路断面積増加部Ｃに対応して外径が変化した芯部材３２と、を備える加湿装置１Ｃであってもよい。
ケース１８の前側には、複数のオフガス排出口１８ｂが形成されている。芯部材３２は、流路断面積減少区間Ｂ１に対応する位置に、その外径が前側（オフガスの下流側）に向かって徐々に大きくなる拡径テーパ部３２ｃと、連続区間Ｂ２に対応する位置に外径が大きい外径拡大部３２ｄと、流路断面積増加部Ｃに対応する位置に、その外径が前側に向かって徐々に小さくなる縮径テーパ部３２ｅとを有している。また、芯部材３２は、芯部材３１と同様に、中空部３２ａと、オフガス流入口３２ｂとを有している。
【００７０】
また、図７に示すように、芯部材３１（図３参照）を備えない加湿装置１Ｄであってもよい。この場合において、ケース１０の上流部１１には、オフガスをケース１０内に導くためのオフガス流入口１１ｂが設けられており、ケース１０の下流部１５にはケース１０内から水分交換後のオフガスを外部に排出するためのオフガス排出口１５ｃが設けられている。
【００７１】
また、図６に示す加湿装置１Ｃに対して、図８に示すように、中空部３２ａ及びオフガス流入口３２ｂが形成されていない芯部材３３を備えた加湿装置１Ｅであってもよい。なお、芯部材３３は、拡径テーパ部３３ｃと、外径拡大部３３ｄと、縮径テーパ部３３ｅとを有している。そして、ケース１８の後側のオフガス流入口１８ｃを介してケース１８内にオフガスが導入され、ケース１８の前側のオフガス排出口１８ｄを介して外部にオフガスが排出されるようになっている。
【００７２】
前記した実施形態では、オフガスの流速を上昇させる流速上昇部Ｂを構成するために、流路断面積減少区間Ｂ１及び連続区間Ｂ２に対応する部分が絞られた中流部１３を有するケース１０を備えた場合を例示したが、その他に例えば、絞られていないケース１８（図６参照）の内側に、円筒状のスペーサを内装することで、オフガスの流路断面積を小さくし、流速上昇部Ｂを構成してもよい。その他に、芯部材３２に円筒状のスペーサを外嵌して、流路断面積を小さくし、流路断面積減少区間Ｂ１及び連続区間Ｂ２を構成してもよい。
【００７３】
前記した実施形態では、ケース１０の中流部１３が全周にわたって径方向内側に絞られている構成、つまり、周方向において、中流部１３の全ての内周面１３ａが、径方向内側に突出している構成を例示したが、周方向において、一部が径方向内側に突出している構成であってもよい。そして、図６に示す芯部材３２についても同様に、周方向において、その一部が径方向外側に突出している構成であってもよい。
【００７４】
前記した実施形態では、中空糸膜４２外を流れるオフガス（第２ガス）の流速が上昇する構成を例示したが、中空糸膜４２内を流れる空気（第１ガス）の流速が上昇する構成であってもよいし、両者の流速が上昇する構成であってもよい。中空糸膜４２内を流れる空気の流速を上昇させるには、例えば、加湿装置１Ａの上流側に噴射ノズルを設け、このノズルによって流速が上昇した空気が、中空糸膜４２内に導入される構成を採用することができる。
すなわち、前記した実施形態では、加湿装置１Ａの一部である流速上昇部Ｂ（流路断面積減少区間Ｂ１及び連続区間Ｂ２）においてのみオフガスの流速が上昇するとしたが、加湿装置の全体において、空気（第１ガス）及びオフガス（第２ガス）の少なくとも一方の流速が上昇する構成であればよい。
【００７５】
そして、このように中空糸膜４２内における空気の流速が上昇すれば、中空糸膜４２の内周面近傍において乱流が発生し、これにより、空気相における水分濃度が均一され、その結果として、中空糸膜４２の内周面近傍における水分の濃度が下がる。そうすると、中空糸膜４２相と空気相との間において、水分の濃度差及び分圧差が大きくなり、その結果として、物質移動係数が大きくなる。したがって、水分が、中空糸膜４２から空気相に移動しやすくなり、その結果として、空気が良好に加湿され、ゆえに、加湿装置による加湿効率が上がる。
【００７６】
前記した実施形態では、流路断面積減少区間Ｂ１及び連続区間Ｂ２を含む流速上昇部Ｂを有する加湿装置１Ａを例示したが、図９に示すように、連続区間Ｂ２を有さず、流路断面積減少区間Ｂ１からなる流速上昇部Ｂのみを有する加湿装置１Ｆであってもよい。加湿装置１Ｆを構成するケース１９は、オフガスの下流側に向かって、上流部１１と、縮径テーパ部１２Ａと、拡径テーパ部１４Ａと、下流部１５とを備えている。縮径テーパ部１２Ａは流路断面積減少区間Ｂ１（流速上昇部Ｂ）に対応する位置に、拡径テーパ部１４Ａは流路断面積増加部Ｃに対応する位置に、それぞれ配置されており、縮径テーパ部１２Ａと拡径テーパ部１４Ａとの切り替わり部分は、中空糸膜束４１を径方向内側に押圧している。よって、当該切り替わり部分は、中空糸膜束４１の外周面に傷をつけないように、面取り、Ｒ状等の処理が施されている。そして、オフガスが、上流部１１から縮径テーパ部１２Ａに流れ込むと、その流速が上昇するようになっている。
【図面の簡単な説明】
【００７７】
【図１】本実施形態に係る燃料電池システムの構成を示す図である。
【図２】本実施形態に係る加湿装置の斜視図である。
【図３】本実施形態に係る加湿装置の側断面図である。
【図４】本実施形態に係る加湿装置における水分の移動を説明する図である。
【図５】変形例に係る加湿装置の側断面図である。
【図６】変形例に係る加湿装置の側断面図である。
【図７】変形例に係る加湿装置の側断面図である。
【図８】変形例に係る加湿装置の側断面図である。
【図９】変形例に係る加湿装置の側断面図である。
【符号の説明】
【００７８】
１Ａ    加湿装置
１０    ケース
１１    上流部
１２    縮径テーパ部
１３    中流部
１３ａ  内周面
１４    拡径テーパ部
１５    下流部
１５ｂ  オフガス排出口
３１    芯部材
３１ａ  中空部
３１ｂ  オフガス流入口
４１    中空糸膜束
４２    中空糸膜
６０    燃料電池スタック
７１    コンプレッサ
１００  燃料電池システム
Ａ      上流部（第２ガス上流部）
Ｂ      流速上昇部
Ｂ１    流路断面積減少区間
Ｂ２    連続区間流速上昇部
Ｃ      流路断面積増加部
Ｄ      下流部（第２ガス下流部）
【図１】
2007324031.tif 000003
【図２】
2007324031.tif 000004
【図３】
2007324031.tif 000005
【図４】
2007324031.tif 000006
【図５】
2007324031.tif 000007
【図６】
2007324031.tif 000008
【図７】
2007324031.tif 000009
【図８】
2007324031.tif 000010
【図９】
2007324031.tif 000011